(57)【特許請求の範囲】
【請求項１】
圧縮機及びヒートポンプ熱交換器を備えてなる冷媒回路の一部と、
給湯タンク、給湯用熱交換器及び浴槽用熱交換器を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、
上記冷媒熱により上記浴槽内の湯を加熱して保温する運転時には、湯の設定温度がＴｓである場合、湯の温度が（Ｔｓ−ΔＴ）以下になったときに加熱を開始し、（Ｔｓ＋ΔＴ）近傍の所定の温度まで昇温し、追い焚きスイッチの操作により上記浴槽内の湯を追い焚きする追い焚き運転時には、当該浴槽内の湯温を、この追い焚き運転の開始時における当該浴槽内の湯温よりも、上記ΔＴより小さい一定温度上昇させるよう制御することを特徴とするヒートポンプ式給湯装置の運転方法。
【請求項２】
圧縮機及びヒートポンプ熱交換器を備えてなる冷媒回路の一部と、
給湯タンク、給湯用熱交換器及び浴槽用熱交換器を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、
上記冷媒熱により上記浴槽内の湯を加熱して保温する運転時には、湯の設定温度がＴｓである場合、湯の温度が（Ｔｓ−ΔＴ）以下になったときに加熱を開始し、（Ｔｓ＋ΔＴ）近傍の所定の温度まで昇温し、追い焚きスイッチの操作により上記浴槽内の湯を追い焚きする追い焚き運転時には、当該浴槽内の湯温を、この追い焚き運転の開始時における当該浴槽内の湯温よりも、上記ΔＴより小さい一定温度上昇させるよう制御することを特徴とするヒートポンプ式給湯装置。
【発明の詳細な説明】
【０００１】
【発明の属する技術分野】
本発明は、冷媒の冷媒熱により水を加熱して湯を供給可能とし、冷媒の冷媒熱により浴槽内の湯を加熱（追い焚き）して保温可能とするヒートポンプ式給湯装置の運転方法及びヒートポンプ式給湯装置に関する。
【０００２】
【従来の技術】
従来の給湯装置には、電気ヒータを用いてジュール熱により、またはガス燃焼器を用いて燃焼熱によりそれぞれ水を加熱し、給湯タンクに湯を貯溜し、この湯を蛇口及び浴槽へ供給可能とすると共に、浴槽内の湯を上記ジュール熱又は燃焼熱により加熱（追い焚き）して適温に保温する機能を備えたものがある。
【０００３】
また、給湯装置として、冷媒の冷媒熱により水を加熱して給湯タンクへ湯を貯溜し、この湯を蛇口及び浴槽へ供給可能とすると共に、浴槽内の湯を冷媒の冷媒熱により加熱（追い焚き）して適温に保温する機能を備えたヒートポンプ式給湯装置も提案されている。
【０００４】
【発明が解決しようとする課題】
ところが、上述のような従来の給湯装置では、使用者の追い焚きスイッチの操作により浴槽内の湯を追い焚きする追い焚き運転は、浴槽内の湯温を、浴槽自動運転の設定温度よりも一定温度（例えば１〜２℃）高い温度まで上昇させるよう制御するものである。通常、使用者が追い焚きスイッチを操作するのは、浴槽内の湯温が、浴槽自動運転の設定温度よりも低いが、浴槽自動運転によって追い焚きが実施されていない場合である。
【０００５】
従って、使用者の追い焚きスイッチの操作による追い焚き運転の実施時に、浴槽自動運転の設定温度よりも一定温度高い温度まで浴槽内の湯温が上昇してしまうと、浴槽内の使用者は、浴槽内の湯が熱すぎると感じてしまう。しかも、この追い焚き運転の所要時間も長時間となってしまう。
【０００６】
本発明の目的は、上述の事情を考慮してなされたものであり、浴槽内の湯温を所望の温度まで短時間に追い焚きして設定できるヒートポンプ式給湯装置の運転方法及びヒートポンプ式給湯装置を提供することにある。
【０００７】
【課題を解決するための手段】
請求項１に記載の発明は、圧縮機及びヒートポンプ熱交換器を備えてなる冷媒回路の一部と、給湯タンク、給湯用熱交換器及び浴槽用熱交換器を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、上記冷媒熱により上記浴槽内の湯を加熱して保温する運転時には、湯の設定温度がＴｓである場合、湯の温度が（Ｔｓ−ΔＴ）以下になったときに加熱を開始し、（Ｔｓ＋ΔＴ）近傍の所定の温度まで昇温し、追い焚きスイッチの操作により上記浴槽内の湯を追い焚きする追い焚き運転時には、当該浴槽内の湯温を、この追い焚き運転の開始時における当該浴槽内の湯温よりも、上記ΔＴより小さい一定温度上昇させるよう制御することを特徴とするものである。
【０００８】
請求項２に記載の発明は、圧縮機及びヒートポンプ熱交換器を備えてなる冷媒回路の一部と、給湯タンク、給湯用熱交換器及び浴槽用熱交換器を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、上記冷媒熱により上記浴槽内の湯を加熱して保温する運転時には、湯の設定温度がＴｓである場合、湯の温度が（Ｔｓ−ΔＴ）以下になったときに加熱を開始し、（Ｔｓ＋ΔＴ）近傍の所定の温度まで昇温し、追い焚きスイッチの操作により上記浴槽内の湯を追い焚きする追い焚き運転時には、当該浴槽内の湯温を、この追い焚き運転の開始時における当該浴槽内の湯温よりも、上記ΔＴより小さい一定温度上昇させるよう制御することを特徴とするものである。
【０００９】
請求項１または２に記載の発明には、次の作用がある。
【００１０】
追い焚きスイッチの操作により浴槽内の湯を追い焚きする追い焚き運転時に、浴槽内の湯温を、この追い焚き運転の開始時における浴槽内の湯温よりも一定温度上昇させるよう制御することから、浴槽内の湯温を浴槽自動運転の設定温度よりも一定温度上昇させるよう制御する場合に比べ、上記追い焚き運転により浴槽内の湯温が所望温度以上とならず、この追い焚き運転により浴槽内の湯温を短時間に所望温度に設定することができる。
【００１１】
【発明の実施の形態】
以下、本発明の実施の形態を、図面に基づき説明する。
【００１２】
図１は、本発明に係るヒートポンプ式給湯装置の一実施の形態を示し、給湯タンク内の水を加熱し湯を貯留するときの回路図である。
【００１３】
この図１に示すように、ヒートポンプ式給湯装置１０は、ヒートポンプユニット１１、給湯ユニット１２、蛇口１３、浴槽１４及び制御装置１５を有して構成され、この制御装置１５が、ヒートポンプユニット１１及び給湯ユニット１２を制御する。
【００１４】
ヒートポンプユニット１１は、圧縮機１６、アキュムレータ１７及びヒートポンプ熱交換器１８が冷媒配管１９に順次配設されて、冷媒回路の一部を構成する。冷媒配管１９における圧縮機１６の吐出側端部は、ユニット間配管２０のガス管２１に接続される。また、冷媒配管１９におけるヒートポンプ熱交換器１８側端部は、ユニット間配管２０の液管２２に接続される。
【００１５】
冷媒配管１９は、圧縮機１６の吐出側とヒートポンプ熱交換器１８側とが、電磁弁２３を備えたバイパス配管２４にて接続されて、吐出冷媒の過剰な高圧が逃がされる。また、ヒートポンプ熱交換器１８の近傍には送風ファン２５が設置されて、ヒートポンプ熱交換器１８へ送風がなされる。
【００１６】
前記給湯ユニット１２は、給湯タンク２６、給湯用熱交換器２７及び浴槽用熱交換器２８を備える。
【００１７】
給湯用熱交換器２７は、第１切換弁３１を備えた冷媒配管２９に配設される。この冷媒配管２９における第１切換弁３１側端部が、ガス側ジョイント３０を介してユニット間配管２０のガス管２１に接続される。また、冷媒配管２９における他端部が、液側ジョイント３３を介してユニット間配管２０の液管２２に接続される。これにより、給湯用熱交換器２７は、ヒートポンプユニット１１の冷媒回路の一部と連結されて、図１の太線Ｌに示すように、冷媒が循環する冷媒回路が構成される。
【００１８】
この給湯用熱交換器２７と上記給湯タンク２６とは、給湯用循環ポンプ３４及び流量調整弁３５を備えた給湯用配管３６によりループ状に連結されて、図１の太線Ｍに示す給湯用循環回路５２が構成される。
【００１９】
給湯タンク２６の底部には減圧逆止弁３７を配設した第１水道水配管３８が接続されて、給湯タンク２６内へ常に水道水が供給可能とされる。つまり、給湯タンク２６内に常時水道水圧が作用する。また、給湯タンク２６の天部には、出湯用電磁弁３９を備えた出湯配管４０が接続されている。
【００２０】
給湯用循環ポンプ３４の稼働により給湯タンク２６の底部の水が給湯用熱交換器２７に送給されると、この給湯用熱交換器２７は、送給された水を、ヒートポンプユニット１１の圧縮機１６から吐出された冷媒ガスの熱によって加熱する。この加熱された水（湯）は、流量調整弁３５を経て給湯タンク２６の天部へ導かれ、給湯タンク２６内に例えば約６０℃の湯が貯溜可能とされる。
【００２１】
給湯タンク２６内には電気ヒータ４１が配設される。この電気ヒータ４１は、給湯タンク２６内の湯温を、例えば約８０℃に昇温させるものである。また、給湯用配管３６には、給湯用循環ポンプ３４の上流側にドレンコック４２が配設されて、給湯用配管３６及び給湯タンク２６内の湯又は水をドレンパン４３を介して排水可能とする。更に、給湯用配管３６には、給湯タンク２６の上流側にリリーフ手段４４が配設されて、給湯用熱交換器２７による水の過剰加熱時における圧力が解放可能に設けられる。
【００２２】
前記浴槽用熱交換器２８は、図４に示すように、第２切換弁３２を備えた冷媒配管４５に配設される。この冷媒配管４５における第２切換弁３２側端部が、冷媒配管２９におけるガス側ジョイント３０近傍のＡ点に接続される。また、冷媒配管４５における他端部が、冷媒配管２９における液側ジョイント３３近傍のＢ点に接続される。そして、第２切換弁３２と前記第１切換弁３１とは、一方が開操作されたときに、他方が閉操作されるよう構成される。
【００２３】
従って、第２切換弁３２の開操作時に、浴槽用熱交換器２８は、ヒートポンプユニット１１の冷媒回路の一部と連結されて、図４の太線Ｎに示すように、冷媒が循環する冷媒回路が構成される。
【００２４】
この浴槽用熱交換器２８と前記浴槽１４とが、浴槽用循環ポンプ４６、フィルタ４７、水位センサ４８、サーミスタ４９及びフロースイッチ５０を備えた第１浴槽用配管５１によりループ状に連結されて、図４の太線Ｏに示す浴槽用循環回路５３が構成される。第１浴槽用配管５１には、浴槽用循環ポンプ４６の下流側に、浴槽用熱交換器２８をバイパスし、且つバイパス電磁弁５４を備えたバイパス配管５５が接続されている。
【００２５】
浴槽用熱交換器２８は、後述の如く浴槽１４に給湯がなされて浴槽１４内に湯が張られた場合、浴槽用循環ポンプ４６の稼働により浴槽１４内の湯を、ヒートポンプユニット１１の圧縮機１６から吐出された冷媒ガスの熱によって加熱し、追い焚き（後述の浴槽自動運転による追い焚き運転、追い焚きスイッチ７１の操作による追い焚き運転）を実施して、浴槽１４内の湯を保温する。
【００２６】
ここで、水位センサ４８は、第１浴槽用配管５１を介して浴槽１４に連通していることから、この浴槽１４内の湯（水）の水位を検出する。また、サーミスタ４９は、浴槽用循環回路５３内を湯が循環しているとき、その湯温を検知して、浴槽１４内の湯温を間接的に検出する。また、フロースイッチ５０は、浴槽用循環回路５３内を湯が循環していることを検出する。更に、フィルタ４７は、浴槽１４内に配設されたフィルタ５６と共に、湯を濾過する。
【００２７】
前記蛇口１３は、図２に示すように、混合制御弁５７及びフローセンサ５８を備えた給湯配管５９と出湯配管４０とによって、図２の太線Ｐに示すように給湯タンク２６に接続される。更に、この蛇口１３は、減圧逆止弁６１を備えた第２水道水配管６０にも接続される。上記フローセンサ５８は、給湯配管５９内を流れる湯量を検出する。
【００２８】
給湯タンク２６には、第１水道水配管３８を介して水道水圧が常時作用しているとこから、蛇口１３の給湯栓を開くことにより、出湯配管４０及び給湯配管５９を経て、給湯タンク２６内の湯が蛇口１３に給湯される。この蛇口１３からの湯は、蛇口１３の水道水栓を開くことにより、第２水道水配管６０からの水道水と混合されて、蛇口１３から供給可能とされる。
【００２９】
また、混合制御弁５７は、水道水電磁弁６２を備えた第３水道水配管６３を介して、図２の太破線Ｑに示すように、第１水道水配管３８の減圧逆止弁３７下流側に接続される。従って、出湯用電磁弁３９及び水道水電磁弁６２の開弁操作時には、混合制御弁５７の開度制御により、給湯タンク２６及び出湯配管４０からの湯と第３水道水配管６３からの水道水とが混合されて、蛇口１３の給湯栓から給湯される湯温が、例えば４２℃に調整される。
【００３０】
図３に示すように、給湯配管５９におけるフローセンサ５８の下流側と、第１浴槽用配管５１における浴槽用循環ポンプ４６、フロースイッチ５０間とが第２浴槽用配管６８により接続される。この第２浴槽用配管６８には、給湯配管５９の側からフローセンサ６４、注湯用電磁弁６５、リリーフ手段６６、逆止弁６７が順次配設されている。
【００３１】
ここで、フローセンサ６４は、第２浴槽用配管６８内を流れる湯量を検出する。また、リリーフ手段６６及び逆止弁６７は、過剰に加熱された湯が第２浴槽用配管６８内を流れた時に、その圧力を逃がすものである。
【００３２】
浴槽用循環ポンプ４６を停止させた状態で、注湯用電磁弁６５及びバイパス電磁弁５４を開操作すると、図３の太線Ｒに示すように、給湯タンク２６内の湯が出湯配管４０、給湯配管５９の一部及び第２浴槽用配管６８を流れて第１浴槽用配管５１内に至り、この第１浴槽用配管５１内で二股に分岐されて、一方がフロースイッチ５０、サーミスタ４９、水位センサ４８及びフィルタ４７を経て浴槽１４へ、また、他方がバイパス配管５５を経て浴槽１４へそれぞれ注湯される。第１浴槽用配管５１内で二方向から浴槽１４内へ注湯することにより、浴槽１４に湯を短時間で張ることが可能となる。
【００３３】
浴槽１４内に給湯タンク２６から適量の湯が注湯されたことが水位センサ４８により検出された段階で、注湯用電磁弁６５及びバイパス電磁弁５４が閉操作される。その後、浴槽１４内の湯温が適温以下に低下したことがサーミスタ４９により検知されたときに、浴槽用循環ポンプ４６が稼働し、第２切換弁３２が開操作され、ヒートポンプユニット１１の圧縮機１６が起動して、浴槽用循環ポンプ４６の稼働により浴槽用循環回路５３内を循環する湯が、浴槽用熱交換器２８の冷媒熱により加熱（追い焚き）されて、浴槽１４内の湯が保温される。
【００３４】
このように、給湯タンク２６から浴槽１４へ適温の湯を適量給湯し、その後所定時間、浴槽１４内の湯を浴槽用熱交換器２８により適温に加熱（追い焚き）して保温する運転を、浴槽自動運転と称する。
【００３５】
前記制御装置１５は、ヒートポンプユニット１１における圧縮機１６の運転（容量制御を含む）及び停止、電磁弁２３の開閉、給湯ユニット１２における第１切換弁３１と第２切換弁３２の切換、給湯用循環ポンプ３４及び浴槽用循環ポンプ４６の稼働又は停止、出湯用電磁弁３９、バイパス電磁弁５４、水道水電磁弁６２及び注湯用電磁弁６５の開閉、流量調整弁３５及び混合制御弁５７の開度、電気ヒータ４１への通電等をそれぞれ制御して、ヒートポンプユニット１１及び給湯ユニット１２を制御する。
【００３６】
特に、制御装置１５は、図１及び図４に示すように、浴槽１４近傍に設置された全自動スイッチ７０が操作された時、この全自動スイッチ７０からの信号を入力して、上述の浴槽自動運転を実行させる。
【００３７】
この浴槽自動運転において、制御装置１５は、図５に示すように、浴槽１４内の湯温がサーミスタ４９によって設定温度Ｔｓよりも所定温度ΔＴだけ低くなったことが検出されたときに（つまりＴｓ−ΔＴ）、ヒートポンプユニット１１の圧縮機１６を起動し、第２切換弁３２を開弁し、浴槽用循環ポンプ４６を稼働して浴槽１４の湯温を上昇させる。また、制御装置１５は、浴槽１４内の湯温がサーミスタ４９によって設定温度Ｔｓよりも所定温度ΔＴだけ高くなったことが検出されたときに（つまりＴｓ＋ΔＴ）、圧縮機１６及び浴槽用循環ポンプ４６を停止し、第２切換弁３２を閉弁する。このように、制御装置１５は、この浴槽自動運転では、浴槽１４内の湯温を（設定温度Ｔｓ±所定温度ΔＴ）の範囲内に制御する。
【００３８】
また、制御装置１５は、図１及び図４に示すように、全自動スイッチ７０と共に浴槽１４近傍に設置された追い焚きスイッチ７１が操作された時、この追い焚きスイッチ７１からの信号を入力して、ヒートポンプユニット１１の圧縮機１６を起動させ、給湯ユニット１２の第２切換弁３２を開弁させ、浴槽用循環ポンプ４６を稼働させて、浴槽１４内の湯（または温水）を浴槽用熱交換器２８へ導き、冷媒の冷媒熱により浴槽１４内の湯を加熱（追い焚き）する、追い焚きスイッチ７１の操作による追い焚き運転を実行する。
【００３９】
制御装置１５は、この追い焚きスイッチ７１の操作による追い焚き運転において、図５に示すように、浴槽１４内の湯温を、この追い焚きスイッチ７１の操作による追い焚き運転の開始時（つまり、追い焚きスイッチ７１が操作された時点ｔａ）にサーミスタ４９にて検出された浴槽１４内の現状温度Ｔａよりも、一定温度α（例えば１〜２℃）だけ高い温度（Ｔａ＋α）に設定するよう制御する。この温度設定は、追い焚きスイッチ７１の１回の操作によって制御装置１５により実行される。
【００４０】
通常、追い焚きスイッチ７１が浴槽１４内の使用者によって操作される場合は、浴槽１４内の湯温が、浴槽自動運転の設定温度Ｔｓよりも低いが、この浴槽自動運転によって追い焚きされない温度、即ち浴槽１４内の温度が｛（Ｔｓ−ΔＴ）〜Ｔｓ｝の範囲にある場合である。従って、上述のような追い焚きスイッチ７１の一回の操作による追い焚き運転によって、上記｛（Ｔｓ−ΔＴ）〜Ｔｓ｝の範囲にある湯温は、使用者が適温として設定した設定温度Ｔｓ近傍まで上昇されることになる。
【００４１】
しかも、追い焚きスイッチ７１が操作された時点ｔａから、浴槽１４内の湯温が温度（Ｔａ＋α）に至る時点ｔ１までの所要時間は、（ｔ１−ｔａ）の如く短時間である。
【００４２】
また、追い焚きスイッチ７１の１回の操作によって上述の如く短時間（ｔ１−ｔａ）に昇温された浴槽１４内の温度（Ｔａ＋α）では湯温が不充分であると浴槽１４内の使用者が感じた場合には、この使用者は、蛇口１３の給湯栓を開くなどして、浴槽１４内へ給湯タンク２６内の高温の湯を注湯して差し湯するか、又は再度追い焚きスイッチ７１を操作する。
【００４３】
ここで、仮に、制御装置１５が、追い焚きスイッチ７１の操作による追い焚き運転時に、浴槽１４内の湯温を、浴槽自動運転の設定温度Ｔｓよりも一定温度αだけ高い温度（Ｔｓ＋α）に設定するよう制御すると、この温度（Ｔｓ＋α）は、浴槽１４内の使用者が適温と感じる温度（設定温度Ｔｓ近傍の温度）よりも過剰に高くなってしまう。しかも、追い焚きスイッチ７１が操作された時点ｔａから、浴槽１４内の温度が（Ｔｓ＋α）に至る時点ｔ２までの所要時間は長時間（ｔ２−ｔａ）を要することになってしまう。但し、（ｔ２−ｔａ）＞（ｔ１−ｔａ）である。
【００４４】
従って、本実施の形態によれば、次の効果を奏する。
【００４５】
制御装置１５は、追い焚きスイッチ７１の操作により浴槽１４内の湯を追い焚きする追い焚き運転時に、浴槽１４内の湯温を、この追い焚き運転の開始時における浴槽１４内の現状温度Ｔａよりも一定温度α上昇させるよう制御することから、浴槽１４内の湯温を浴槽自動運転の設定温度Ｔｓよりも一定温度α上昇させるよう制御する場合に比べ、上述の追い焚きスイッチ７１の操作による追い焚き運転により、浴槽１４内の湯温が設定温度Ｔｓよりも過剰に高くならず、この追い焚き運転により浴槽１４内の湯温を短時間に所望温度（設定温度Ｔｓの近傍）に設定することができる。
【００４６】
以上、本発明を上記実施の形態に基づいて説明したが、本発明はこれに限定されるものではない。
【００４７】
【発明の効果】
請求項１に記載の発明によれば、圧縮機及びヒートポンプ熱交換器を備えてなる冷媒回路の一部と、給湯タンク、給湯用熱交換器及び浴槽用熱交換器を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置の運転方法において、上記冷媒熱により上記浴槽内の湯を加熱して保温する運転時には、湯の設定温度がＴｓである場合、湯の温度が（Ｔｓ−ΔＴ）以下になったときに加熱を開始し、（Ｔｓ＋ΔＴ）近傍の所定の温度まで昇温し、追い焚きスイッチの操作により上記浴槽内の湯を追い焚きする追い焚き運転時には、当該浴槽内の湯温を、この追い焚き運転の開始時における当該浴槽内の湯温よりも、上記ΔＴより小さい一定温度上昇させるよう制御することことから、浴槽内の湯温を所望の温度まで短時間に追い焚きして設定できる。
【００４８】
請求項２に記載の発明によれば、圧縮機及びヒートポンプ熱交換器を備えてなる冷媒回路の一部と、給湯タンク、給湯用熱交換器及び浴槽用熱交換器を備え、上記給湯用熱交換器が、上記冷媒回路の一部と連結可能に設けられて冷媒回路を構成し、冷媒熱により水を加熱して上記給湯タンクへ湯を貯溜可能とし、また、上記給湯タンクから蛇口及び浴槽へ湯を供給可能とし、更に、上記浴槽用熱交換器が、上記冷媒回路の一部と連結可能に設けられて冷媒回路を構成し、冷媒熱により上記浴槽内の湯を加熱して保温可能とするヒートポンプ式給湯装置において、上記冷媒熱により上記浴槽内の湯を加熱して保温する運転時には、湯の設定温度がＴｓである場合、湯の温度が（Ｔｓ−ΔＴ）以下になったときに加熱を開始し、（Ｔｓ＋ΔＴ）近傍の所定の温度まで昇温し、追い焚きスイッチの操作により上記浴槽内の湯を追い焚きする追い焚き運転時には、当該浴槽内の湯温を、この追い焚き運転の開始時における当該浴槽内の湯温よりも、上記ΔＴより小さい一定温度上昇させるよう制御を実行するよう構成されたことから、浴槽内の湯温を所望の温度まで短時間に追い焚きして設定できる。
【図面の簡単な説明】
【図１】本発明に係るヒートポンプ式給湯装置の一実施の形態を示し、給湯タンク内の水を加熱し、湯を貯溜するときの回路図である。
【図２】図１のヒートポンプ式給湯装置において、蛇口から給湯するときの回路図である。
【図３】図１のヒートポンプ式給湯装置において、浴槽へ給湯するときの回路図である。
【図４】図１のヒートポンプ式給湯装置において、浴槽内の湯を加熱（追い焚き）して保温するときの回路図である。
【図５】追い焚きスイッチの操作による追い焚き運転の実施時における浴槽内の湯温を示すグラフである。
【符号の説明】
１０  ヒートポンプ式給湯装置
１１  ヒートポンプユニット
１２  給湯ユニット
１３  蛇口
１４  浴槽
１５  制御装置
１６  圧縮機
１８  ヒートポンプ熱交換器
２６  給湯タンク
２７  給湯用熱交換器
２８  浴槽用熱交換器
４９  サーミスタ
Ｔａ  現状温度
α  一定温度
【図１】
0004301708.tif 000002
【図２】
0004301708.tif 000003
【図３】
0004301708.tif 000004
【図４】
0004301708.tif 000005
【図５】
0004301708.tif 000006